(57)【特許請求の範囲】
【請求項１】
四隅に１／４円弧状の凹曲コーナー部が形成され且つ四辺に半円筒状の凹曲部が形成された正方形の枠桟の内側に、互いに直交する多数の縦桟と横桟が設けられ、縦桟と横桟の幾つかの交差箇所に円筒部が形成されたガーデンフロアのフロアベースを下方から支持する支持脚であって、
上記支持脚は、中央に筒状ナット部が下方へ突き出して形成された支持板と、この支持板の筒状ナット部に下方から螺入された高さ調節用のボルト脚とからなるものであり、
支持板は、上記フロアベースの縦桟と横桟によって区画される方形空間部の面積よりも大きい面積を有しており、
支持板中央の筒状ナット部の周囲の支持板上面には４つの円弧状立片が９０°の間隔をあけて設けられると共に、各円弧状立片の外側の支持板上面に、円弧状立片と対向する面を湾曲面とした突起が設けられて、各円弧状立片と各突起との間に、上記フロアベースの凹曲コーナー部又は半円筒状凹曲部又は円筒部が嵌まり込む湾曲溝部が形成されており、
これらの円弧状立片及び突起の更に外側の支持板上面には、上記フロアベースの方形空間部に下方から嵌め込まれたときに縦桟及び横桟の側面に沿う四方の側壁が設けられて、各側壁の中央に上記フロアベースの縦桟又は横桟又は枠桟が嵌まり込む凹欠部が形成されている、
ことを特徴とするガーデンフロアの支持脚。
【請求項２】
支持板上面の各突起と四方の側壁との間に、フロアベースの縦桟又は横桟又は枠桟が嵌まり込む縦方向又は横方向の直状溝部が形成されていることを特徴とする請求項１に記載のガーデンフロアの支持脚。
【発明の詳細な説明】
【０００１】
【発明の属する技術分野】
本発明は、ガーデンフロアの高さ調節自在な支持脚に関する。
【０００２】
【従来の技術】
本出願人は、簡単な組立作業により家屋の庭先等に容易に施工できるガーデンフロアとして、図１３に示すように、高さ調節用の支持脚２によってフロアベース１を下方から支持すると共に、該フロアベース１の上に表面材３を張付けた構造のガーデンフロアを既に出願した（特願平１０−２０４４５５号）。
【０００３】
このガーデンフロアに用いるフロアベース１は、熱可塑性合成樹脂を射出成形又は射出発泡成形したもので、図１４に示すように、正方形の枠桟１ａの内側には互いに直交する多数の縦桟１ｂと横桟１ｃが一体に設けられ、中央の縦桟１Ｂと中央の横桟１Ｃは太く形成されている。そして、枠桟１ａの四隅には１／４円弧状の凹曲コーナー部１ｄが形成されると共に、四辺には半円筒状の凹曲部１ｅが合計１２箇所形成され、また、合計９つの円筒部１ｆが縦桟と横桟の交差箇所に形成されている。
【０００４】
一方、表面材３は、熱可塑性合成樹脂を矩形板状に押出成形又は発泡押出成形する際に、全体に木目が現出するように成形したものであって、図１３に示すように、表面材３の裏面には左右一対の脚片３ａ，３ａと中央の脚片３ｂが一体に形成されており、左右一対の脚片３ａ，３ａには外向きの係合爪３ｃ，３ｃが突設されている。そして、この表面材３はフロアベース１の上に３枚ずつ並べられ、上記の係合爪３ｃ，３ｃをフロアベース１上に配列形成された被係合突片１ｇに係合させることによって、ワンタッチでフロアベース１に張付けられるようになっている。
【０００５】
上記のフロアベース１の支持する支持脚２は、図１５に示すように、中央に筒状ナット部２ｂが上方へ突き出して形成された支持板２ｃと、この支持板２ｃの筒状ナット部２ｂに下方から螺入される高さ調節用のボルト脚２ａとからなるもので、筒状ナット部２ｂの周囲の支持板上面には、略１／８円弧状に湾曲した４つの湾曲片２ｄが９０°の間隔をあけて立設されている。
【０００６】
このような支持脚２は、互いに隣接するフロアベース１の凹曲コーナー部１ｄが集合する箇所に次の要領で取付けられる。即ち、図１６に示すように、例えば３つのフロアベース１，１，１の凹曲コーナー部１ｄ，１ｄ，１ｄが３／４円弧状に集合した部分の内側に、支持脚２の筒状ナット部２ｂを下方から挿入し、筒状ナット２ｂと３つの湾曲片２ｄ，２ｄ，２ｄとの間にフロアベース１，１，１の凹曲コーナー部１ｄ，１ｄ，１ｄを挟み込むことによって、凹曲コーナー部同士を分離不能に連結した状態で下方から取付けられる。そして、高さ調節ボルト２ａを回すことによって、フロアベース１，１，１の高さが調節される。
【０００７】
この図１６は、３つのフロアベースの凹曲コーナー部１ｄ，１ｄ，１ｄが集合する部分に支持脚２を取付ける場合を例示したものであるが、４つのフロアベースの凹曲コーナー部が集合する部分や、２つのフロアベースの凹曲コーナー部が隣接する部分にも、上記と同様の要領で支持脚２を取付けることによって、凹曲コーナー部同士を連結した状態で高さ調節自在に支持できることは言うまでもない。また、支持脚２の筒状ナット部２ｂを円筒部１ｆに下方から挿入して支持脚２を取付けたり、更には、隣接するフロアベース１，１の円筒状に集合した凹曲部１ｅ，１ｅの内側に支持脚２の筒状ナット部２ｂを下方から挿入して、筒状ナット部２ｂと湾曲片２ｄとの間に双方の凹曲部１ｅ，１ｅを挟み込むことにより、凹曲部１ｅ，１ｅ同士を分離不能に連結した状態で支持させることも可能なものである。
【０００８】
【発明が解決しようとする課題】
このガーデンフロアに用いる支持脚２は、上記のように、フロアベース１の凹曲コーナー部１ｄの集合部分、半円筒状凹曲部１ｅの集合部分、円筒部１ｆのいずれにも取付け可能なものであるが、次のような解決すべき問題があった。
【０００９】
即ち、ガーデンフロアの施工現場の状況によっては、フロアベース１を適当な箇所で切断して、その縦桟１ｂと横桟１ｃによって区画される方形空間部１ｈに支持脚２を取付けたい場合があるが、上記の支持脚２は、その支持板２ｃの面積がフロアベース１の方形空間部１ｈの面積より小さいため、該空間部１ｈに取付けることができず、たとえ、支持板２ｃの端部で該空間部１ｈの周囲の縦桟１ｂ又は横桟１ｃを支持させるようにしたとしても、支持脚２を位置決めすることができないため、荷重がフロアベース１に繰り返し作用すると、支持脚２が徐々に移動して縦桟１ｂ又は横桟１ｃが支持板２ｃから外れ、支持されなくなるという問題があった。
【００１０】
本発明は上記の問題に対処すべくなされたもので、その目的とするところは、フロアベースの凹曲コーナー部の集合部分、半円筒状凹曲部の集合部分、円筒部のいずれにも取付け可能であることは勿論、方形空間部や切断された方形空間部などにも位置決めされた状態で取付けることができるガーデンフロアの支持脚を提供することにある。
【００１１】
【課題を解決するための手段】
前記の目的を達成するため、本発明の請求項１に係るガーデンフロアの支持脚は、四隅に１／４円弧状の凹曲コーナー部が形成され且つ四辺に半円筒状の凹曲部が形成された正方形の枠桟の内側に、互いに直交する多数の縦桟と横桟が設けられ、縦桟と横桟の幾つかの交差箇所に円筒部が形成されたガーデンフロアのフロアベースを下方から支持する支持脚であって、
上記支持脚は、中央に筒状ナット部が下方へ突き出して形成された支持板と、この支持板の筒状ナット部に下方から螺入された高さ調節用のボルト脚とからなるものであり、
支持板は、上記フロアベースの縦桟と横桟によって区画される方形空間部の面積よりも大きい面積を有しており、
支持板中央の筒状ナット部の周囲の支持板上面には４つの円弧状立片が９０°の間隔をあけて設けられると共に、各円弧状立片の外側の支持板上面に、円弧状立片と対向する面を湾曲面とした突起が設けられて、各円弧状立片と各突起との間に、上記フロアベースの凹曲コーナー部又は半円筒状凹曲部又は円筒部が嵌まり込む湾曲溝部が形成されており、
これらの円弧状立片及び突起の更に外側の支持板上面には、上記フロアベースの方形空間部に下方から嵌め込まれたときに縦桟及び横桟の側面に沿う四方の側壁が設けられて、各側壁の中央に上記フロアベースの縦桟又は横桟又は枠桟が嵌まり込む凹欠部が形成されている、ことを特徴とするものである。
【００１２】
このような構成の支持脚は、フロアベースの凹曲コーナー部の集合部分又は半円筒状凹曲部の集合部分の内側に支持板上面の円弧状立片を下方から挿入して、円弧状立片と外側の突起との間の湾曲溝部に凹曲コーナー部又は半円筒状凹曲部を嵌め込むと共に、枠桟又は縦桟又は横桟を支持板上面の側壁中央の凹欠部に嵌め込むとことにより、凹曲コーナー部同士又は半円筒状凹曲部同士を分離不能に連結した状態で取付けて支持させることができ、この状態でボルト脚を回してフロアベースの高さを調節することができる。
【００１３】
また、フロアベースの縦桟と横桟との交差箇所に形成された円筒部の内側に、上記支持脚の支持板上面の円弧状立片を下方から挿入して、円弧状立片と外側の突起との間の湾曲溝部にフロアベースの円筒部を嵌め込むと共に、縦桟と横桟を支持板上面の側壁中央の凹欠部に嵌め込むことにより、上記支持脚をフロアベースの円筒部に取付けて支持させることもできる。
【００１４】
更に、フロアベースの方形空間部に上記支持脚の支持板上面の円弧状立片と突起と四方の側壁を下方から嵌め込むと、支持板の面積が方形空間部の面積より大きいため、方形空間部を取り囲む縦桟及び横桟を四方の側壁の外側の支持板上面で支持することができ、しかも、四方の側壁が縦桟及び横桟の側面に沿うので、支持板が前後左右に移動しないように位置決めすることができる。
【００１５】
次に、本発明の請求項２に係るガーデンフロアの支持脚は、上記請求項１の支持脚において、支持板上面の各突起と四方の側壁との間に、フロアベースの縦桟又は横桟又は枠桟が嵌まり込む縦方向又は横方向の直状溝部が形成されていることを特徴とするものである。
【００１６】
このような構成の支持脚は、直状溝部にフロアベースの縦桟又は横桟又は枠桟を嵌め込むことによって、フロアベースの端部や切断された方形空間部にも位置決めされた状態で取付けることができる。なお、具体的な取付態様については後で詳しく説明する。
【００１７】
【発明の実施の形態】
以下、図面を参照して本発明の具体的な実施形態を詳述する。
【００１８】
図１は本発明の一実施形態に係る支持脚の平面図、図２は同支持脚の正面図、図３は同支持脚の断面図、図４は同支持脚の底面図、図５は同支持脚の支持板の平面図、図６は同支持脚の支持板の底面図、図７〜図１２はいずれも同支持脚の異なる使用例を示す平面図である。
【００１９】
この支持脚１０は、前述したガーデンフロアのフロアベース１に取付けられるものであって、図２，図３に示すように、下方へ突き出す筒状ナット部１１ａが中央に形成された支持板１１と、この支持板１１の筒状ナット部１１ａに下方から螺入された高さ調節用のボルト脚１２とで構成されている。
【００２０】
支持板１１は合成樹脂を射出成形したもので、図１，図５，図６に示すように正方形板を４５°回転させた菱形板に形成され、前記フロアベース１の縦桟１ｂと横桟１ｃによって区画された正方形の方形空間部１ｈの面積よりも大きい面積（略２倍の面積）を有している。
【００２１】
図１，図５に示すように、中央の筒状ナット部１１ａの周囲の支持板１１上面には、略１／８円弧状に湾曲する円弧状立片１１ｂが９０°の間隔をあけて４つ形成されており、各円弧状立片１１ｂの外側の支持板１１上面には、略二等辺直角三角形の平面形状を有する突起１１ｃがそれぞれ形成されている。各突起１１ｃは、その円弧状立片１１ｂと対向する面（略二等辺直角三角形の斜辺に相当する面）が湾曲面とされており、それぞれの円弧状立片１１ｂと突起１１ｃとの間には、前記フロアベース１の凹曲コーナー部１ｄ又は半円筒状凹曲部１ｅ又は円筒部１ｆが嵌まり込む湾曲溝部１１ｄが形成されている。尚、これらの湾曲溝部１１ｄの曲率半径が、凹曲コーナー部１ｄ、半円筒状凹曲部１ｅ及び円筒部１ｆの曲率半径と実質的に同一であることは言うまでもない。
【００２２】
上記の円弧状立片１１ｂ及び突起１１ｃの更に外側の支持板１１上面には、四方の側壁１１ｅが設けられ、各側壁１１ｅの中央には、前記フロアベース１の枠桟１ａ又は縦桟１ｂ又は横桟１ｃが嵌まり込む凹欠部１１ｆが形成されている。この実施形態では、フロアベース１の細い枠桟１ａや縦桟１ｂや横桟１ｃは勿論、フロアベース１中央の太い縦桟１Ｂや横桟１Ｃも嵌まるように、凹欠部１１ｆの幅寸法Ｗ1 が太い縦桟１Ｂ及び横桟１Ｃの幅寸法と同一もしくは僅かに広く設定されている。
【００２３】
また、前後、左右に対向する側壁１１ｅ，１１ｅの外面間の寸法Ｗ2 は、前記フロアベース１の正方形空間部１ｈの一辺の寸法よりも少し短く設定されており、従って、図１０に示すようにフロアベース１の正方形空間部１ｈに下方から四方の側壁１１ｅを嵌め込むと、四方の側壁１１ｅが正方形空間部１ｈの四周の縦桟１ｂ及び横桟１ｃの側面に沿い、支持板１１が前後左右に移動しないように位置決めすることが可能となっている。
【００２４】
更に、支持板１１上面の各突起１１ｃと四方の側壁１１ｅとの間には、前記フロアベース１の縦桟１ｂ又は横桟１ｃ又は枠桟１ａが嵌まり込む縦方向又は横方向の直状溝部１１ｇが形成されており、後述するように、この直状溝部１１ｇに縦桟１ｂ又は横桟１ｃ又は枠桟１ａを嵌め込む場合も、支持板１１の位置決めを行うことができるようになっている。
【００２５】
また、この支持板１１の下面には、方形枠状の補強リブ１１ｈが形成されている。
【００２６】
一方、ボルト脚１２は、図３に示すように合成樹脂で中空に成形されたもので、支持板１１中央の筒状ナット部１１ａに下方から螺入されており、図１，図３に示すように、このボルト脚１２の上端部には六角穴１２ａが形成されている。従って、この六角穴１２ａに六角レンチ等の回転具を上方から挿入して回転させると、ボルト脚１２の下端から支持板１１上面までの高さが増減し、フロアベース１の高さ調整を行えるようになっている。尚、このボルト脚１２の下端基部１２ｂには、ゴム座（不図示）を取付けることが望ましい。
【００２７】
以上のような構成の支持脚１０は、従来の支持脚２と同様に、フロアベース１の凹曲コーナー部１ｄの集合部分や、半円筒状凹曲部１ｅの集合部分や、円筒部１ｆに取付けられるほか、正方形空間部１ｈや切断された正方形空間部など所望の箇所に位置決めされた状態で取付けられる。
【００２８】
即ち、フロアベース１の凹曲コーナー部１ｄの集合部分に支持脚１０を取付ける場合は、例えば図７に示すように、３つのフロアベース１，１，１の凹曲コーナー部１ｄ，１ｄ，１ｄが３／４円弧状に集合した部分の内側に、支持板１１の円弧状立片１１ｂを下方から挿入し、円弧状立片１１ｂとその外側の突起１１ｃとの間の湾曲溝部１１ｄにフロアベース１，１，１の凹曲コーナー部１ｄ，１ｄ，１ｄを嵌め込むと共に、各フロアベースの枠桟１ａを四方の側壁１ｅ中央の凹欠部１１ｆに嵌め込むことによって、凹曲コーナー部同士を分離不能に連結した状態で取付けることができる。そして、ボルト脚１２上端の六角穴１２ａに六角レンチ等を上方から挿入してボルト脚１２を回すと、フロアベース１，１，１の高さを調節することができる。なお、４つのフロアベースの凹曲コーナー部が円筒状に集合した部分や、２つのフロアベースの凹曲コーナー部が半円筒状に集合した部分に支持脚１０を取付ける場合も、上記と同様にすればよい。
【００２９】
また、図８に示すように、隣接する２つのフロアベース１，１の半円筒状凹曲部１ｅ，１ｅが円筒状に集合した部分に支持脚１０を取付ける場合は、円筒状に集合した該凹曲部１ｅ，１ｅの内側に支持板１１上面の円弧状立片１１ｂを下方から挿入して、円弧状立片１１ｂと外側の突起１１ｃとの間の湾曲溝部１１ｄにフロアベース１，１の半円筒状凹曲部１ｅ，１ｅを嵌め込むと共に、枠桟１ａ，１ａと横桟（図８の場合は太い横桟１Ｃ）を四方の側壁１１ｅ中央の凹欠部１１ｆに嵌め込めばよく、このようにすれば、半円筒状凹曲部１ｅ，１ｅ同士を分離不能に連結した状態で支持することができる。
【００３０】
また、図９に示すように、フロアベース１の縦桟と横桟（中央の太い縦桟１Ｂと横桟１Ｃ）との交差箇所に形成された円筒部１ｆに支持脚１０を取付ける場合は、該円筒部１ｆの内側に支持板１１上面の円弧状立片１１ｂを下方から挿入して、円弧状立片１１ｂと外側の突起１１ｃとの間の湾曲溝部１１ｄに該円筒部１ｆを嵌め込むと共に、太い縦桟１Ｂと横桟１Ｃを四方の側壁１１ｅ中央の凹欠部１１ｆに嵌め込むことによって取付ければよい。
【００３１】
更に、図１０に示すように、フロアベース１を適当なところで切断し、切断端近傍の正方形空間部１ｈに支持脚１０を取付ける場合は、支持板１１上面の円弧状立片１１ｂと突起１１ｃと四方の側壁１１ｅを下方から嵌め込めばよく、このように嵌め込むと、支持板１１の面積が正方形空間部１ｈの面積より大きいため、正方形空間部１ｈを取り囲む縦桟１ｂ及び横桟１ｃを四方の側壁１１ｅの外側の支持板上面で支持することができ、しかも、四方の側壁１１ｅが縦桟１ｂ及び横桟１ｃの側面に沿うので、支持板１１が前後左右に移動しないように位置決めすることができる。
【００３２】
また、図１１に示すように、フロアベース１を適当なところで切断し、切断された正方形空間部１ｈに支持脚１０を取付ける場合は、切断されてない縦桟又は横桟（図１１では横桟１ｃ）を、支持板１１上面の突起１１ｃと側壁１１ｅとの間の直状溝部１１ｇに嵌め込むと共に、切断された正方形空間部両側の縦桟又は横桟（図１１では縦桟１ｂ，１ｂ）を側壁１１ｅより外側の支持板１１上面で支持させて、該縦桟１ｂ，１ｂの側面に側壁１１ｅを沿わせるようにすればよく、このようにすれば、支持板１１が前後左右に移動できないように位置決めされるので、縦桟１ｂ，１ｂや横桟１ｃが支持板１１から外れる心配が解消される。
【００３３】
そのほか、図１２に示す上側の支持脚１０のように、左右いずれか一方の側壁１１ｅ（図１２では左側の側壁１１ｅ）とその内側の突起１１ｃ，１１ｃとの間の直状溝部１１ｇに、フロアベース１の縦桟１ｂを嵌め込むと共に、前後いずれか一方の側壁１１ｅ［図１２では前側（下側）の側壁１１ｅ］とその内側の突起１１ｃ，１１ｃとの間の直状溝部１１ｇに、フロアベース１の横桟１ｃを嵌め込むことによって、支持脚１０を前後左右に移動できないように位置決めした状態でフロアベース１の正方形空間部１ｈに取付けることもできる。また、図１２に示す下側の支持脚１０のように、左右いずれか一方の側壁１１（図１２では左側の側壁１１ｅ）とその内側の突起１１ｃとの間の直状溝部１１ｇに、フロアブース１の縦桟１ｂを嵌め込むと共に、左右の側壁１１ｅの凹欠部１１ｆにフロアベース１の枠桟１ａを嵌め込み、前後いずれか一方の側壁１１ｅ［図１２では後側（上側）の側壁１１ｅ］をフロアベース１の横桟１ｃに沿わせることによって、支持脚１０を前後左右に移動できないように位置決めした状態でフロアベース１の端部に取付けることもできる。
【００３４】
【発明の効果】
以上の説明から明らかなように、本発明のガーデンフロアの支持脚は、フロアベースの凹曲コーナー部の集合部分や半円筒状凹曲部の集合部分や円筒部のほかに、方形空間部や切断された方形空間部などにも位置決めされた状態で取付けることができるので、フロアベースを切断して使用する場合でも、その切断端部の適当箇所に支持脚を確実に取付けてフロアベースを支持させることができ、且つ、ボルト脚を回転させることによって高さ調節も自在に行えるといった効果を奏する。
【図面の簡単な説明】
【図１】本発明の一実施形態に係る支持脚の平面図である。
【図２】同支持脚の正面図である。
【図３】同支持脚の断面図である。
【図４】同支持脚の底面図である。
【図５】同支持脚の支持板の平面図である。
【図６】同支持脚の支持板の底面図である。
【図７】同支持脚の一使用例を示す平面図である。
【図８】同支持脚の他の使用例を示す平面図である。
【図９】同支持脚の更に他の使用例を示す平面図である。
【図１０】同支持脚の更に他の使用例を示す平面図である。
【図１１】同支持脚の更に他の使用例を示す平面図である。
【図１２】同支持脚の更に他の使用例を示す平面図である。
【図１３】従来のガーデンフロアの部分側面図である。
【図１４】同ガーデンフロアのフロアベースの平面図である。
【図１５】同ガーデンフロアのフロアベースの一部と支持脚を分解して示す斜視図である。
【図１６】支持脚によるフロアベースのコーナー部の連結支持状態を示す平面図である。
【符号の説明】
１  フロアベース
１ａ  枠桟
１ｂ，１Ｂ  縦桟
１ｃ，１Ｃ  横桟
１ｄ  湾曲コーナー部
１ｅ  半円筒状の凹曲部
１ｆ  円筒部
１ｈ  方形（正方形）空間部
３  表面材
１０  支持脚
１１  支持板
１１ａ  筒状ナット部
１１ｂ  円弧状立片
１１ｃ  突起
１１ｄ  湾曲溝部
１１ｅ  四方の側壁
１１ｆ  凹欠部
１１ｇ  直状溝部
１２  ボルト脚
【図１】
0004471137.tif 000002
【図２】
0004471137.tif 000003
【図３】
0004471137.tif 000004
【図４】
0004471137.tif 000005
【図５】
0004471137.tif 000006
【図６】
0004471137.tif 000007
【図７】
0004471137.tif 000008
【図８】
0004471137.tif 000009
【図９】
0004471137.tif 000010
【図１０】
0004471137.tif 000011
【図１１】
0004471137.tif 000012
【図１２】
0004471137.tif 000013
【図１３】
0004471137.tif 000014
【図１４】
0004471137.tif 000015
【図１５】
0004471137.tif 000016
【図１６】
0004471137.tif 000017